【手続補正書】
【提出日】平成19年3月23日(2007.3.23)
【手続補正１】
【補正対象書類名】特許請求の範囲
【補正対象項目名】全文
【補正方法】変更
【補正の内容】
【特許請求の範囲】
【請求項１】
伝送路ファイバを利用して波長多重光を増幅するラマン光増幅器であって、
上記伝送路ファイバに励起光を供給する励起手段と、
上記波長多重光の光パワーを検出する光モニタ手段と、
上記光モニタ手段により検出された光パワー、及び伝送路の光特性を表す伝送路情報に基づいて上記励起光を制御する制御手段を備え、
上記伝送路情報は、上記伝送路ファイバの種別を表す情報、上記伝送路ファイバの長さを表す情報、上記伝送路ファイバの平均ファイバロス係数、局舎内損失値を含むことを特徴とするラマン光増幅器。
【請求項２】
伝送路ファイバを利用して波長多重光を増幅するラマン光増幅器であって、
上記伝送路ファイバに励起光を供給する励起手段と、
上記波長多重光の光パワーを検出する光モニタ手段と、
上記励起光のパワーを変化させながら上記伝送路ファイバにおけるラマン利得を測定する測定手段と、
上記光モニタ手段により検出された光パワー、及び上記測定手段により測定されたラマン利得に基づいて上記励起光のパワーを決定する決定手段、
を有するラマン光増幅器。
【請求項３】
伝送路ファイバを利用して波長多重光を増幅するラマン光増幅器であって、
上記伝送路ファイバに励起光を供給する励起手段と、
上記波長多重光の光パワーを検出する光モニタ手段と、
上記光モニタ手段により検出された光パワー、および伝送路の光特性を表す伝送路情報に基づいて上記励起光を制御する制御手段を備え、
上記伝送路情報は、上記伝送路ファイバの種別を表す情報、上記伝送路ファイバの損失値、局舎内損失値を含むことを特徴とするラマン光増幅器。
【請求項４】
伝送路ファイバを利用して波長多重光を増幅するラマン光増幅器の調整方法であって、
第１の励起パワーの励起光を上記伝送路ファイバに供給したときの受光パワーを第１の受光パワーとして検出し、
第２の励起パワーの励起光を上記伝送路ファイバに供給したときの受光パワーを第２の受光パワーとして検出し、
上記第１の受光パワー及び第２の受光パワーに基づいて上記伝送路ファイバのラマン利得を算出し、
上記算出したラマン利得に基づいてＡＳＳ雑音量を算出し、
上記第２の受光パワー及び上記ＡＳＳ雑音量に基づいて上記波長多重光の光パワーを検出し、
上記検出された波長多重光の光パワー、及び上記算出されたラマン利得に基づいて上記励起光のパワーを決定する各段階よりなるラマン光増幅器の調整方法。
【請求項５】
伝送路ファイバを利用して波長多重光を増幅するラマン光増幅器の調整方法であって、
上記伝送路ファイバの上流局に設けられている光増幅器がその出力を停止している期間にＡＳＳ雑音量を測定し、
上記測定されたＡＳＳ雑音量に基づいて上記伝送路ファイバにおけるラマン利得を導出し、
上記波長多重光の光パワー、及び上記導出されたラマン利得に基づいて上記励起光のパワーを決定する各段階よりなるラマン光増幅器の調整方法。
【請求項６】
伝送路ファイバを利用して信号光を増幅するラマン光増幅器であって、
上記伝送路ファイバに励起光を供給する励起手段と、
受光光量を検出する光モニタ手段と、
受光光量を測定する光測定手段と、
前記励起光量から前記伝送路ファイバで発生する雑音成分を見積もる雑音成分見積手段と、
前記光モニタ手段にて検出された受光光量と前記雑音成分見積手段にて得られた雑音成分見積値とに基づいて前記励起手段を制御する制御手段と、
前記雑音成分見積手段から得られた雑音成分見積値と前記光測定手段から得られる雑音成分測定値とを比較し、当該比較結果に基づいて前記雑音成分見積値を補正する補正手段とよりなるラマン光増幅器。
【請求項７】
伝送路ファイバを利用して信号光を増幅するラマン光増幅器であって、
上記伝送路ファイバに励起光を供給する励起手段と、
前記励起光量から前記伝送路ファイバで発生する雑音成分を見積もる雑音成分見積手段と、
受光信号から信号光を含む所定の波長帯を抽出し、前記所定の波長帯以外の波長帯を分岐する抽出手段と、
前記抽出手段により抽出された前記所定の波長帯の受光信号の光量を検出する第１のモニタ手段と、
前記抽出手段により分岐された前記所定の波長帯以外の波長帯の受光信号の光量を検出する第２のモニタ手段と、
前記第１及び第２のモニタ手段にて検出された受光光量と前記雑音成分見積手段にて得られた雑音成分見積値とに基づいて前記励起手段を制御する制御手段と、
前記第１のモニタ手段による検出結果に基づいて信号光光量を算出する第１の信号光光量算出手段と、
前記第２のモニタ手段による検出結果に対し、前記雑音見積手段による雑音見積値による補正を行なって信号光光量を算出する第２の信号光光量算出手段と、
前記第１の信号光光量算出手段と第２の信号光光量算出手段との夫々の算出値を比較することによって雑音成分見積値を補正する補正手段とよりなるラマン光増幅器。
【請求項８】
伝送路ファイバを利用して信号光を増幅するラマン光増幅器であって、
上記伝送路ファイバに励起光を供給する励起手段と、
前記励起光量から前記伝送路ファイバで発生する雑音成分を見積もる雑音成分見積手段と、
受光信号を分岐する光分岐手段と、
前記光分岐手段にて分岐された一方の光信号に対し、フィルタリングによって信号光を含む所定波長帯を抽出する帯域抽出手段と、
前記帯域抽出手段により抽出された信号光の光量を検出する第１のモニタ手段と、
前記光分岐手段により分岐された他方の光信号の光量を検出する第２のモニタ手段と、
前記第１及び第２のモニタ手段にて検出された受光光量と前記雑音成分見積手段にて得られた雑音成分見積値とに基づいて前記励起手段を制御する制御手段と、
前記第１のモニタ手段による検出結果に基づいて信号光光量を算出する第１の信号光光量算出手段と、
前記第２のモニタ手段による検出結果に対し、前記雑音見積手段による雑音見積値による補正を行なって信号光光量を算出する第２の信号光光量算出手段と、
前記第１の信号光光量算出手段と第２の信号光光量算出手段との夫々の算出値を比較することによって雑音成分見積値を補正する補正手段とよりなるラマン光増幅器。
【請求項９】
伝送路ファイバを利用して信号光を増幅するラマン光増幅器の調整方法であって、
上記伝送路ファイバに励起光を供給する励起段階と、
受光光量を検出する光モニタ段階と、
受光光量を測定する光測定段階と、
前記励起光量から前記伝送路ファイバで発生する雑音成分を見積もる雑音成分見積段階と、
前記光モニタ段階にて検出された受光光量と前記雑音成分見積段階にて得られた雑音成分見積値とに基づいて前記励起手段を制御する制御段階と、
前記雑音成分見積段階にて得られた雑音成分見積値と前記光測定段階にて得られる雑音成分測定値とを比較し、当該比較結果に基づいて前記雑音成分見積値を補正する補正段階とよりなるラマン光増幅器の調整方法。
【請求項１０】
伝送路ファイバを利用して信号光を増幅するラマン光増幅器の調整方法であって、
上記伝送路ファイバに励起光を供給する励起段階と、
前記励起光量から前記伝送路ファイバで発生する雑音成分を見積もる雑音成分見積段階と、
受光信号から信号光を含む所定の波長帯を抽出し、前記所定の波長帯以外の波長帯を分岐する抽出段階と、
前記抽出段階にて抽出された前記所定の波長帯の受光信号の光量を検出する第１のモニタ段階と、
前記抽出段階にて分岐された前記所定の波長帯以外の波長帯の受光信号の光量を検出する第２のモニタ段階と、
前記第１及び第２のモニタ段階にて検出された受光光量と前記雑音成分見積段階にて得られた雑音成分見積値とに基づいて前記励起段階を制御する制御段階と、
前記第１のモニタ段階における検出結果に基づいて信号光光量を算出する第１の信号光光量算出段階と、
前記第２のモニタ段階における検出結果に対し、前記雑音見積段階による雑音見積値による補正を行なって信号光光量を算出する第２の信号光光量算出段階と、
前記第１の信号光光量算出段階と第２の信号光光量算出段階との夫々における算出値を比較することによって雑音成分見積値を補正する補正段階とよりなるラマン光増幅器の調整方法。
【請求項１１】
伝送路ファイバを利用して波長多重光を増幅するラマン光増幅器であって、
上記伝送路ファイバに励起光を供給する励起手段と、
上記波長多重光の光パワーを検出する光モニタ手段と、
上記光モニタ手段により検出された光パワーに基づいて上記励起光を制御する制御手段と、
入力光から所定の波長成分を抽出する波長フィルタと、
上記波長フィルタにより抽出された波長成分から雑音成分を差し引く演算手段と、
上記演算手段の出力に基づいて上流局または伝送路の障害を検出する検出手段と
を有するラマン光増幅器。
【請求項１２】
請求項１１に記載のラマン光増幅器であって、
上記抽出手段により抽出される波長成分の中に、上記波長多重光を構成する複数の光の中の１つが含まれていることを特徴とするラマン光増幅器。
【請求項１３】
請求項１１に記載のラマン光増幅器であって、
上記抽出手段により抽出される波長成分の中に、主信号を伝送するための信号光とは別に用意されたプローブ光が含まれていることを特徴とするラマン光増幅器。
【手続補正２】
【補正対象書類名】明細書
【補正対象項目名】００２６
【補正方法】変更
【補正の内容】
【００２６】
又、ＤＲＡモジュールは非常に出力パワーが高いため、ファイバ端面からのＤＲＡモジュールの励起光漏れによる危険性があるため、安全性のためDRAモジュールの励起光源の強制出力低下（停止）（シャットダウン）機能を設ける。この場合、コネクタ開放、ファイバ断線を、ＤＲＡモジュール内の受光素子にて信号光の入力断として判断し、シャットダウンのトリガとする方法等が採られる。しかしながらこのような方法を採用した場合、信号光入力断閾値の光レベルが低い場合には、上記ＡＳＳ光発生量の見積もり誤差により、入力断精度・機能の著しい劣化、誤検出、非検出の恐れがある。入力断誤検出の場合には、本来光通信装置として正常に動作すべき状態にあるにもかかわらず、ＤＲＡモジュールの励起光を強制消失（シャットダウン）させることにより、光増幅器としての機能を消失させることになる。その結果、下流側の伝送装置にて伝送エラー、アラームが発出し、伝送品質を著しく悪化させる恐れがある。また逆に、ＤＲＡモジュールより上流側の伝送路のコネクタ開放、ファイバ断線時において、入力断非検出があった場合、シャットダウン機能にトリガがかからずに、ファイバ端面からDRAモジュールの励起光漏れによる危険性が生ずる。
【特許文献１】特開２００２−２９６１４５号公報
【特許文献２】特開２００２−０４０４９６号公報
【特許文献３】特開２００２−０７６４８２号公報
【特許文献４】特開２００２−０７２２６２号公報
【特許文献５】国際公開第０２／０１９０２３号パンフレット
【特許文献６】特開２００３―１４０２０８号公報
【特許文献７】特開２００３−１３９６５６号公報
【特許文献８】特開２００１−２４４５２８号公報
【特許文献９】特開２００１−７７６８号公報
【特許文献１０】特開２００３―１３１２７３号公報